(57)【要約】【課題】  アンテナ切替のタイミングを考慮しなくても、アンテナ切替によって復調時の同期はずれが起こらないようにする。【解決手段】  第１のチューナ部１２ａと第１の復調部１２ｂとを有する第１の受信手段１２と、第２のチューナ部１５ａと第２の復調部１５ｂとを有する第２の受信手段１５と、各受信手段１２、１５の復調部１２ｂ、１５ｂから出力された復調信号を加算するダイバーシティ合成手段１６とを備え、第１の受信手段１２には特定のアンテナ１１からの受信信号を常時入力し、第２の受信手段１５には複数のアンテナ１３からの受信信号の一つを選択的に入力した。【選択図】        図１
2005223784.tif 000002
【特許請求の範囲】
【請求項１】
第１のチューナ部と第１の復調部とを有する第１の受信手段と、第２のチューナ部と第２の復調部とを有する第２の受信手段と、前記各受信手段の復調部から出力された復調信号を加算するダイバーシティ合成手段とを備え、前記第１の受信手段には特定のアンテナからの受信信号を常時入力し、前記第２の受信手段には複数のアンテナからの受信信号の一つを選択的に入力したことを特徴とするダイバーシティ受信機。
【請求項２】
前記複数のアンテナからの受信信号の一つを選択するアンテナ切替手段を設け、前記ダイバーシティ合成手段から出力される復調信号のエラー率が所定の閾値以上になったときに、前記アンテナ切替手段によって前記複数のアンテナの内の他のアンテナの受信信号を選択したことを特徴とする請求項１に記載のダイバーシティ受信機。
【請求項３】
前記ダイバーシティ合成手段から出力される復調信号のエラー率を検出するエラー率検出手段と、前記エラー率を前記閾値と比較して前記閾値以上になったときに切替信号を前記アンテナ切替手段に出力する切替制御手段を設けたことを特徴とする請求項２に記載のダイバーシティ受信機。
【発明の詳細な説明】
【技術分野】
【０００１】
本発明は、地上デジタルテレビ放送を受信するのに好適なダイバーシティ受信機に関する。
【背景技術】
【０００２】
図２は従来のダイバーシティ受信機の構成を示している。複数のアンテナ１（Ｎｏ.１〜Ｎｏ.４）の何れかがアンテナ切替部２により選択され、選択されたアンテナからの受信信号はチューナ３で同調をとる。その出力はＩＦ部４を介して同期再生部５に送られて、その再生出力はＯＦＤＭデコーダ６に加えられる。ＯＦＤＭデコーダ６の復調出力はＭＰＥＧデコーダ７に与えられて、これにより得られたビデオ信号で表示部８に画像が表示される。
【０００３】
そして、ＯＦＤＭデコーダ６及び又はＭＰＥＧデコーダ７から出力されるエラー率（ＢＥＲ）を制御部９に入力する。この場合、上記エラー率をとる場所は特に規定しない。また、上記エラー率の値に応じてアンテナ１の切り替えを行うが、そのときのアンテナ切替は映像の劣化が始まる時のエラー率の値、もしくはそれよりも良い値とし、その値をアンテナ切替を行うエラー率の閾値とする。
【０００４】
そして、地上デジタルＴＶ放送受信時に、エラー率が上記閾値よりおおきくなった時、受信状況が悪化したと判断し、制御部９はダイバー動作を開始してアンテナ１の切替を行うためのダイバー制御信号を発生し、ダイバー制御信号をアンテナ切替部２に与えて、アンテナ１の切替を行うようになってる（例えば、特許文献１参照。）。
【０００５】
【特許文献１】特開２００２−０３３６８８号公報（図１）
【発明の開示】
【発明が解決しようとする課題】
【０００６】
デジタル放送を受信する場合は、アンテナの切替時の同期はずれの問題があるので、上記のダイバーシティ受信機ではアンテナの切替をガードインターバルの期間内で行うようにしているが、そのタイミングの取り方が難しいという問題がある。
【０００７】
本発明は、アンテナ切替のタイミングを考慮しなくても、アンテナ切替によって復調時の同期はずれが起こらないようにすることを目的とする。
【課題を解決するための手段】
【０００８】
上記課題の解決のため、本発明では、第１のチューナ部と第１の復調部とを有する第１の受信手段と、第２のチューナ部と第２の復調部とを有する第２の受信手段と、前記各受信手段の復調部から出力された復調信号を加算するダイバーシティ合成手段とを備え、前記第１の受信手段には特定のアンテナからの受信信号を常時入力し、前記第２の受信手段には複数のアンテナからの受信信号の一つを選択的に入力した。
【０００９】
また、前記複数のアンテナからの受信信号の一つを選択するアンテナ切替手段を設け、前記ダイバーシティ合成手段から出力される復調信号のエラー率が所定の閾値以上になったときに、前記アンテナ切替手段によって前記複数のアンテナの内の他のアンテナの受信信号を選択した。
【００１０】
また、前記ダイバーシティ合成手段から出力される復調信号のエラー率を検出するエラー率検出手段と、前記エラー率を前記閾値と比較して前記閾値以上になったときに切替信号を前記アンテナ得切替手段に出力する切替制御手段を設けた。
【発明の効果】
【００１１】
請求項１の発明によれば、第１のチューナ部と第１の復調部とを有する第１の受信手段と、第２のチューナ部と第２の復調部とを有する第２の受信手段と、各受信手段の復調部から出力された復調信号を加算するダイバーシティ合成手段とを備え、第１の受信手段には特定のアンテナからの受信信号を常時入力し、第２の受信手段には複数のアンテナからの受信信号の一つを選択的に入力したので、第１の受信手段には常時アンテナ１１からの受信信号が入力されているので受信信号の途切れが無いため、ＯＦＤＭ復調時のフレーム同期が維持されており、この状態でアンテナ切替手段によって別のアンテナの受信信号が選択されてもＯＦＤＭ復調時の同期がはずれることはない。
【００１２】
また、請求項２の発明によれば、複数のアンテナからの受信信号の一つを選択するアンテナ切替手段を設け、ダイバーシティ合成手段から出力される復調信号のエラー率が所定の閾値以上になったときに、アンテナ切替手段によって複数のアンテナの内の他のアンテナの受信信号を選択したので、合成された復調信号のエラー率を閾値以下に維持することができる。
【００１３】
また、請求項３の発明によれば、ダイバーシティ合成手段から出力される復調信号のエラー率を検出するエラー率検出手段と、エラー率を閾値と比較して閾値以上になったときに切替信号をアンテナ得切替手段に出力する切替制御手段を設けたので、エラー率が閾値以上になれば第２の受信手段には別のアンテナの受信信号が自動的に入力される。
【発明を実施するための最良の形態】
【００１４】
図１に本発明のダイバーシティ受信機の構成を示す。アンテナ１１で受信されたデジタル放送信号は常時第１の受信手段１２に入力されている。第１の受信手段１１は第１のチューナ部１１ａとその次段に接続された第１のＯＦＤＭ復調部１１ｂとを有する。
【００１５】
複数のアンテナ１３はアンテナ切替手段１４に接続される。アンテナ切替手段１４はアンテナ１３のうちの何れかで受信した放送信号を選択して第２の受信手段１５に入力する。第２の受信手段１５は第１のチューナ部１５ａとその次段に接続された第２のＯＦＤＭ復調部１５ｂとを有する。
【００１６】
各受信手段１２、１５のＯＦＤＭ復調部１２ｂ、１５ｂからはそれぞれ復調されたデジタル信号（復調信号）が出力され、それらはダイバーシティ合成手段１６に入力される。ダイバーシティ合成手段１６は二つの復調信号の位相が一致するように位相制御すると共に合成して出力するようになっている。そして、合成された復調信号はエラー率検出手段１７に入力される。エラー率検出手段１７は合成された復調信号のエラー率を検出してエラー率の値を示すエラー率信号を切替制御手段１８に入力する。
【００１７】
切替制御手段１８は、入力されたエラー率信号によって示されるエラー率を閾値と比較し、エラー率が閾値以上になった場合にアンテナ切替手段１４に切替信号を出力する。これによって、アンテナ切替手段１４は従前まで選択していたアンテナ１３の受信信号に代えて別のアンテナ１３からの受信信号を選択する。
【００１８】
以上の動作においては、第１の受信手段１２には常時アンテナ１１からの受信信号が入力されているので受信信号の途切れが無いため、ＯＦＤＭ復調時の同期が得られており、この状態でアンテナ切替手段１４によって別のアンテナ１３の受信信号が選択されてもＯＦＤＭ復調時の同期がはずれることはない。
【図面の簡単な説明】
【００１９】
【図１】本発明のダイバーシティ受信機の構成を示す回路図である。
【図２】従来のダイバーシティ受信機の構成を示す回路図である。
【符号の説明】
【００２０】
１１：アンテナ
１２：第１の受信手段
１２ａ：第１のチューナ部
１２ｂ：第１のＯＦＤＭ復調部
１３：アンテナ
１４：アンテナ切替手段
１５：第２の受信手段
１５ａ：第２のチューナ部
１５ｂ：第２のＯＦＤＭ復調部
１６：ＯＦＤＭ合成手段
１７：エラー率検出手段
１８：切替制御手段
【図１】
2005223784.tif 000003
【図２】
2005223784.tif 000004